(57)【要約】      （修正有）【課題】口腔内における見たい部位を検視できるように、鏡面の位置、角度、向きを自由に調整可能な状態で歯科用吸引管に取付け可能な歯鏡を提供する。【解決手段】歯科用吸引管２に取付け可能な歯鏡３は、鏡本体５と、鏡本体５に先端部６ａ連結された鏡ホルダー６を備えている。歯鏡３の後端部６ｂは、吸引管２の外周面にクリップ７で連結されている。歯鏡３の鏡ホルダー６は指で曲げ、捩り可能な可撓性と変形後の形状を保持可能な剛性を持つワイヤーから形成されている。よって、鏡面の位置、角度、向きを広範に変更可能である。【選択図】図１
0003184230.tif 000002
【実用新案登録請求の範囲】
【請求項１】
歯科用吸引管（２）に取り外し可能に取り付けて用いる歯鏡（３）であって、
鏡本体（５）と、
前記鏡本体（５）に先端側の部位（６ａ）が連結された鏡ホルダー（６と）、
前記鏡ホルダー（６）の後端側の部位（６ｂ）に取り付けた連結具（７）とを有し、
前記連結具（７）は前記吸引管（２）の外周面に取付け可能であり、
前記鏡ホルダー（６）は、少なくとも、前記先端側の部位（６ａ）から前記後端側の部位（６ｂ）の間の部位が、操作者が指で折り曲げ可能であり、かつ、折り曲げた形状を保持可能な程度の可撓性を備えた線状部材から形成されていることを特徴とする歯科用吸引管に取付け可能な歯鏡（３）。
【請求項２】
前記連結具（７）は、円弧状に曲げ加工した板バネから形成されており、前記吸引管（２）の前記外周面に対して前記板バネの弾性力および弾性変形によって取り外し可能な状態で連結されている請求項１に記載の歯科用吸引管に取付け可能な歯鏡（３）。
【請求項３】
前記連結具（７）に取り付けた指掛け用リング（８）を有している請求項２に記載の歯科用吸引管に取付け可能な歯鏡（３）。
【考案の詳細な説明】
【技術分野】
【０００１】
本考案は、鏡面の位置、角度、方向を自由に調整可能な状態で歯科用吸引管に取付け可能な歯鏡に関する。
【背景技術】
【０００２】
歯科治療においては、一般的に、歯科医師が治療機器のハンドピースと歯鏡を両手に持って患者の治療部位を治療し、補助者が吸引機器の吸引管を持って患者の口腔内に溜まった唾液、治療用の水、切削屑等を除去している。補助者に頼らずに、歯科医師が一人で治療および吸引管による吸引を行う場合には、ハンドピース、歯鏡および吸引管の３本を一人で持たなければならず、治療ができない。このために、従来においては、歯鏡と吸引管を一体化させた構成の歯科用器具が提案されている。歯科医師は、このような歯科用器具を一方の手に持つことで、治療しながら、治療箇所の検視、唾液等の吸引除去を行うことができる。
【０００３】
このような従来の歯科用器具は３つのタイプに大別することができる。第１のタイプは、特許文献１において提案されているように、既存の吸引管に、連結金具を用いて既存の歯鏡のホルダーを取り付けた構造のものである。第２のタイプは、特許文献２、３において提案されているように、吸引管の先端開口部に、ミラーを取り付けた構造のものである。第３のタイプは、特許文献４、５において提案されているように、歯鏡のシャフトあるいはホルダーを中空とし、その先端に開口部を形成して、歯鏡に吸引管の機能を持たせるようにした構造のものである。
【先行技術文献】
【特許文献】
【０００４】
【特許文献１】特開平１０−１４９５１号公報
【特許文献２】実開平０７−１７２１３号公報
【特許文献３】特開平０７−２８９５７０号公報
【特許文献４】実用新案登録第３０４０３０４号公報
【特許文献５】特開平１０−１９２３０９号公報
【考案の概要】
【考案が解決しようとする課題】
【０００５】
しかしながら、従来における吸引管に歯鏡を一体化した構造の歯科用器具には、歯科医師が歯鏡によって口腔内における見たい部分を見ることができない場合があるという解決すべき課題がある。
【０００６】
例えば、第１のタイプのものは、連結金具を中心として歯鏡を吸引管に対して所定角度範囲内で旋回させることが可能である。歯鏡のミラー面は、連結金具を中心とした一定半径の旋回軌跡上の位置に移動させることが可能である。しかし、旋回規制の内側の部分、旋回規制の外側の部分を検視することができない。また、ミラーの角度、向きの変更も困難である。
【０００７】
第２のタイプのものは、吸引管の先端開口部にミラーが取り付けられているので、ミラーによる検視位置は、吸引管による吸引位置に限定される。すなわち、吸引管による吸引が優先されるので、唾液等の吸引位置に隣接する口腔内の部位等を検視することができない。第３のタイプのものは、逆に、歯鏡による検視が優先されるので、検視位置に隣接する口腔内の部位を吸引することができない。
【０００８】
本考案の課題は、これらの点に鑑みて、口腔内における見たい部位を検視できるようにするために、鏡面の位置、角度および方向を自由に調整できる状態で吸引管に取り付け可能な歯鏡を提案することにある。
【課題を解決するための手段】
【０００９】
上記の課題を解決するために、本考案は、歯科用の吸引管に取り外し可能に取り付けて用いる歯鏡であって、鏡本体と、鏡本体に先端側の部位が連結された鏡ホルダーと、鏡ホルダーの後端側の部位に取り付けた連結具とを有している。連結具は吸引管の外周面に取付け可能である。また、鏡ホルダーは、少なくとも、その先端側の部位から後端側の部位の間の部位が、操作者が指で折り曲げ可能であり、かつ、折り曲げた形状を保持可能な可撓性を備えた線状部材から形成されている。
【００１０】
歯鏡の鏡ホルダーの少なくとも一部は指で折り曲げ可能な線状部材から形成されている。指で所定の形状に曲げ、捩ることで、吸引管の先端開口部に対する鏡本体の位置、角度、向きを広範に変更可能である。また、鏡ホルダーにおける折り曲げ可能な線状部材は、折り曲げた形状を保持可能な程度の剛性が備わっている。治療中において、治療の障害となる口腔内の部位、舌等を鏡ホルダーの先端に取り付けた鏡本体によって押すことも可能である。
【００１１】
本考案において、歯鏡の後端側の部位は、当該部位に取り付けた連結具を介して、吸引管の外周面に連結される。この場合、連結具を、円弧状に曲げ加工した板バネから形成し、吸引管の筒状外周面に対して板バネの弾性力および弾性変形によって取り外し可能な状態で連結しておくことができる。
【００１２】
このようにすれば、歯鏡を外して、当該歯鏡および吸引管を洗浄することが容易であり、これらの連結部分の付着物も確実に除去できる。また、歯鏡を、吸引管に対して、その長さ方向における異なる位置に簡単に取り付けることができ、取り付けた状態で取付け位置を吸引管に沿ってスライドさせることも可能である。さらに、取り外した歯鏡を単体で用いることができる。
【００１３】
この場合、連結具に指掛け用リングを取り付けておき、歯鏡を吸引管から取り外す際には、指掛け用リングに指を掛けて連結具を吸引管から外すようにすれば、取り外し作業を簡単に行うことができる。
【図面の簡単な説明】
【００１４】
【図１】本考案を適用した実施の形態１に係る歯鏡を歯科用吸引管に取付けた状態を示す斜視図である。
【図２】図１の歯鏡を示す斜視図である。
【図３】図１の歯鏡を曲げた状態を示す説明図である。
【図４】本考案を適用した実施の形態２に係る歯鏡を歯科用吸引管に取り付けた状態を示す斜視図である。
【考案を実施するための形態】
【００１５】
以下に、図面を参照して本考案を適用した歯科用吸引管に取付け可能な歯鏡の実施の形態を説明する。
【００１６】
（実施の形態１）
図１は実施の形態１に係る歯鏡を歯科用吸引管に取り付けた状態を示す斜視図であり、図２は歯鏡を示す斜視図である。これらの図に示すように、ステンレススチール製の円筒からなる歯科用デンタル用の吸引管２における先端側の外周面部分に、歯鏡３が着脱可能な状態で取り付けられている。以下において、便宜上、吸引管２に歯鏡３を取り付けた構成のものを歯科用器具１という。
【００１７】
吸引管２は、その長さ方向の中央部分において僅かに曲げられており、その先端開口部２ａには、シリコーン製の円筒状のキャップ４を被せてある。キャップ４の先端は斜めに切断された開口４ａとなっている。吸引管２の後端開口部２ｂは不図示の吸引装置あるいは圧縮空気供給装置等に接続される。吸引管２の形状は、全体として大きく曲がった形状のもの等、本例とは異なる形状であってもよい。
【００１８】
歯鏡３は、偏平な円盤状の鏡本体５、鏡ホルダー６および連結用クリップ７を備えている。鏡ホルダー６は、本例ではステンレススチール製のワイヤー、例えば０．９ｍｍ径のワイヤーから形成されている。このワイヤーは、人が指で所定形状に曲げること、および捩ることが可能な程度の可撓性を備えている。また、ワイヤーは、変形後の形状を保持可能な程度の剛性を備えている。すなわち、曲げた状態で、歯科医師が患者の口腔内において治療を行う際に、口腔内面、舌等に当って形状が変化することのない剛性を備えている。
【００１９】
ワイヤーからなる鏡ホルダー６の先端部６ａは、鏡本体５の背面５ｂに対して、溶接によって固定されている。溶接以外の固定方法であってもよい。鏡ホルダー６の後端部６ｂは、連結用クリップ７に固定されている。
【００２０】
連結用クリップ７は、１８０度を超える角度を張る円弧形状となるように丸めた板バネから形成された一定幅のクリップである。連結用クリップ７の内径寸法は吸引管２の円形外周面の外径寸法よりも小さく、押し広げた状態（弾性変形させた状態）で、吸引管の円形外周面に取付け可能である。連結用クリップ７を吸引管２に取り付けると、その弾性復帰力によって吸引管２に連結された状態が形成される。
【００２１】
連結用クリップ７における両側の縁端部７ａ、７ｂは円弧状に折り返されている。一方の縁端部７ａの折り返し部分の間に、ワイヤーからなる鏡ホルダー６の後端部６ｂが挟み込まれて固定されている。鏡ホルダー６の長さは例えば５０ｍｍ程度であり、その先端部６ａに取り付けた鏡本体５の鏡面５ａが略吸引管２のキャップ４の先端の開口４ａに対峙する位置にある。鏡ホルダー６の長さは、これよりも長い場合もあれば、これよりも短い場合もある。
【００２２】
ここで、連結用クリップ７には指掛け用リング８が取り付けられている。例えば、連結用クリップ７における両側の縁端部７ａ、７ｂの間の部位に指掛け用リング８が取り付けられている。この指掛け用リング８は、連結用クリップ７を吸引管２から外す場合に用いられる。
【００２３】
図３には歯鏡を折り曲げた状態を示す説明図である。歯科医師は治療に当って、図３に示すように、適切な折れ曲がり状態となるように、ワイヤーからなる鏡ホルダー６を指で折り曲げる。また、吸引管２の先端に対して、鏡本体５の傾き、方向が適切な状態となるように、ワイヤーを捩ることができる。この状態で、患者の口腔内における治療部分を検視しながら治療を行い、必要に応じて吸引管２による吸引動作を行う。
【００２４】
治療後等において、吸引管２、歯鏡３を洗浄する場合などにおいては、指掛け用リング８を持って連結用クリップ７を吸引管２から簡単に外すことができる。取り外した歯鏡３を再度、吸引管２に取り付け操作も、連結用クリップ７を吸引管２の円形外周面に嵌めることで、簡単に行うことができる。
【００２５】
なお、本例では、連結用クリップ７によって、歯鏡３を吸引管２に対して着脱可能としてある。この代わりに、歯鏡３の後端部６ｂを溶接等によって吸引管２の外周面に固定することも可能である。また、吸引管２の先端にはキャップ４を被せてあるが、これを省略することも可能である。
【００２６】
（実施の形態２）
図４は実施の形態２に係る歯鏡を歯科用の吸引管に取り付けた構成の歯科用器具を示す斜視図である。図示の歯科用器具１０は、ステンレススチール製の円筒からなる歯科用の吸引管１２における先端側の外周面部分に、歯鏡１３が着脱可能な状態で取り付けられている。
【００２７】
吸引管１２は、その長さ方向の中央部分において僅かに曲げられており、その先端開口部１２ａには、シリコーン製の円筒状のキャップ１４を被せてある。キャップ１４の先端は斜めに切断された開口１４ａとなっている。吸引管１２の後端開口部１２ｂは不図示の吸引装置あるいは圧縮空気供給装置等に接続される。
【００２８】
歯鏡１３は、偏平な円盤状の鏡本体１５、鏡ホルダー１６および連結用クリップ１７を備えている。鏡ホルダー１６は、鏡本体１５の背面１５ｂに固定した剛体素材からなる先端部１６ａと、ステンレススチール製の可撓性のワイヤーにプラスチック製のチューブを被せた構成の可撓性のシャフト部分１６ｃと、連結用クリップ１７に取り付けられた剛体素材からなる後端部１６ｂとを備えている。
【００２９】
連結用クリップ１７は、１８０度を超える角度を張る円弧形状となるように丸めた板バネから形成された一定幅の第１クリップ１７Ａおよび第２クリップ１７Ｂを備えている。これらの第１、第２クリップ１７Ａ、１７Ｂは、これらの直径方向に延びる連結ピン（図示せず）によって相互に連結されており、当該連結ピンを中心として、これらの直径方向に延びる軸線回りに相対的に旋回可能である。
【００３０】
第１クリップ１７Ａは歯鏡１３の後端部１６ｂに連結されており、第２クリップ１７Ｂは吸引管１２の円形外周面に連結されている。これらのクリップは、押し広げて（弾性変形させて）で、歯鏡１３の後端部１６ｂおよび吸引管１２の円形外周面に対して着脱可能である。
【００３１】
この構成の歯鏡１３では、その鏡ホルダー１６のシャフト部分１６ｃが可撓性の素材から形成されている。したがって、このシャフト部分１６ｃを曲げ、あるいは捩ることにより、先端側の鏡本体１５の鏡面１５ａの位置、角度、向きを所望の状態に設定することができる。よって、実施の形態１の場合と同様な作用効果を奏する。
【符号の説明】
【００３２】
１  歯科用器具
２  吸引管
２ａ  先端開口部
２ｂ  後端開口部
３  歯鏡
４  キャップ
４ａ  開口部
５  鏡本体
５ａ  鏡面
５ｂ  背面
６  鏡ホルダー
６ａ  先端部
６ｂ  後端部
７  連結用クリップ
７ａ、７ｂ  縁端部
８  指掛け用リング
１０  歯科用器具
１２  吸引管
１２ａ  先端開口部
１２ｂ  後端開口部
１３  歯鏡
１４  キャップ
１４ａ  開口部
１５  鏡本体
１５ａ  鏡面
１５ｂ  背面
１６  鏡ホルダー
１６ａ  先端部
１６ｂ  後端部
１６ｃ  シャフト部分
１７  連結用クリップ
１７Ａ  第１クリップ
１７Ｂ  第２クリップ
【図１】
0003184230.tif 000003
【図２】
0003184230.tif 000004
【図３】
0003184230.tif 000005
【図４】
0003184230.tif 000006
【手続補正書】
【提出日】平成25年4月2日(2013.4.2)
【手続補正１】
【補正対象書類名】明細書
【補正対象項目名】０００６
【補正方法】変更
【補正の内容】
【０００６】
例えば、第１のタイプのものは、連結金具を中心として歯鏡を吸引管に対して所定角度範囲内で旋回させることが可能である。歯鏡のミラー面は、連結金具を中心とした一定半径の旋回軌跡上の位置に移動させることが可能である。しかし、旋回軌跡の内側の部分、旋回軌跡の外側の部分を検視することができない。また、ミラーの角度、向きの変更も困難である。
【手続補正２】
【補正対象書類名】明細書
【補正対象項目名】００１６
【補正方法】変更
【補正の内容】
【００１６】
（実施の形態１）
図１は実施の形態１に係る歯鏡を歯科用吸引管に取り付けた状態を示す斜視図であり、図２は歯鏡を示す斜視図である。これらの図に示すように、ステンレススチール製の円筒からなる歯科用の吸引管２における先端側の外周面部分に、歯鏡３が着脱可能な状態で取り付けられている。以下において、便宜上、吸引管２に歯鏡３を取り付けた構成のものを歯科用器具１という。
【手続補正３】
【補正対象書類名】明細書
【補正対象項目名】００２３
【補正方法】変更
【補正の内容】
【００２３】
図３は歯鏡を折り曲げた状態を示す説明図である。歯科医師は治療に当って、図３に示すように、適切な折れ曲がり状態となるように、ワイヤーからなる鏡ホルダー６を指で折り曲げる。また、吸引管２の先端に対して、鏡本体５の傾き、方向が適切な状態となるように、ワイヤーを捩ることができる。この状態で、患者の口腔内における治療部分を検視しながら治療を行い、必要に応じて吸引管２による吸引動作を行う。
【手続補正４】
【補正対象書類名】明細書
【補正対象項目名】００２４
【補正方法】変更
【補正の内容】
【００２４】
治療後等において、吸引管２、歯鏡３を洗浄する場合などにおいては、指掛け用リング８を持って連結用クリップ７を吸引管２から簡単に外すことができる。取り外した歯鏡３を再度、吸引管２に取り付ける操作も、連結用クリップ７を吸引管２の円形外周面に嵌めることで、簡単に行うことができる。
【手続補正５】
【補正対象書類名】明細書
【補正対象項目名】００３０
【補正方法】変更
【補正の内容】
【００３０】
第１クリップ１７Ａは歯鏡１３の後端部１６ｂに連結されており、第２クリップ１７Ｂは吸引管１２の円形外周面に連結されている。これらのクリップは、押し広げて（弾性変形させて）、歯鏡１３の後端部１６ｂおよび吸引管１２の円形外周面に対して着脱可能である。
【手続補正６】
【補正対象書類名】明細書
【補正対象項目名】００３２
【補正方法】変更
【補正の内容】
【００３２】
１  歯科用器具
２  吸引管
２ａ  先端開口部
２ｂ  後端開口部
３  歯鏡
４  キャップ
４ａ  開口
５  鏡本体
５ａ  鏡面
５ｂ  背面
６  鏡ホルダー
６ａ  先端部
６ｂ  後端部
７  連結用クリップ
７ａ、７ｂ  縁端部
８  指掛け用リング
１０  歯科用器具
１２  吸引管
１２ａ  先端開口部
１２ｂ  後端開口部
１３  歯鏡
１４  キャップ
１４ａ  開口
１５  鏡本体
１５ａ  鏡面
１５ｂ  背面
１６  鏡ホルダー
１６ａ  先端部
１６ｂ  後端部
１６ｃ  シャフト部分
１７  連結用クリップ
１７Ａ  第１クリップ
１７Ｂ  第２クリップ
【手続補正７】
【補正対象書類名】実用新案登録請求の範囲
【補正対象項目名】請求項１
【補正方法】変更
【補正の内容】
【請求項１】
歯科用吸引管（２）に取り外し可能に取り付けて用いる歯鏡（３）であって、
鏡本体（５）と、
前記鏡本体（５）に先端側の部位（６ａ）が連結された鏡ホルダー（６）と、
前記鏡ホルダー（６）の後端側の部位（６ｂ）に取り付けた連結具（７）とを有し、
前記連結具（７）は前記吸引管（２）の外周面に取付け可能であり、
前記鏡ホルダー（６）は、少なくとも、前記先端側の部位（６ａ）から前記後端側の部位（６ｂ）の間の部位が、操作者が指で折り曲げ可能であり、かつ、折り曲げた形状を保持可能な程度の可撓性を備えた線状部材から形成されていることを特徴とする歯科用吸引管に取付け可能な歯鏡（３）。
【手続補正９】
【補正対象書類名】図面
【補正対象項目名】図２
【補正方法】変更
【補正の内容】
【図２】
0003184230.tif 000007